(57)【要約】      （修正有）【課題】本発明は液晶表示器のバック・ライトの平面蛍光灯に応用される電極構造に関し、エッジ暗区現象を改善する。【解決手段】この電極構造は第１の補助電極及び第２の補助電極と、該第１の補助電極と該第２の補助電極との間に位置し、そしてそれぞれ該第１の補助電極及び該第２の補助電極と対をなして同一極性を有する第１のエッジ電極及び第２のエッジ電極と、該第１のエッジ電極と、該第２のエッジ電極との間に位置する少なくとも一電極とを備えてなり、当該電極構造は該第１の補助電極及び該第２の補助電極により、それぞれ該第１のエッジ電極及び該第２のエッジ電極と、隣り合う電極との間の交互作用を強化、又は該エッジ電極の幅を原電極の幅の１．５〜４倍に増加することにより、該エッジ電極上の電流密度を向上すると共にエッジ放電区の輝度を向上して、中央区域の輝度とエッジ区域の輝度とに大きな差異が生じないようにする。【選択図】図４
2006286641.tif 000002
【特許請求の範囲】
【請求項１】
第１の補助電極及び第２の補助電極と、
前記第１の補助電極と前記第２の補助電極との間に位置し、そしてそれぞれ該第１の補助電極及び該第２の補助電極と対をなして同一極性を有する第１のエッジ電極及び第２のエッジ電極と、
前記第１のエッジ電極と前記第２のエッジ電極との間に位置する少なくとも一電極と、
を備えてなることを特徴とする電極構造であって、当該電極構造は該第１の補助電極及び該第２の補助電極により、それぞれ該第１のエッジ電極及び該第２の補助電極と、隣り合う電極との間の交互作用を強化する電極構造。
【請求項２】
前記第１の補助電極と前記第１のエッジ電極との間には調整可能な第１の距離を有し、そして前記第２の補助電極と前記第２のエッジ電極との間には調整可能な第２の距離を有しており、及び／又は
前記第１の距離及び前記第２の距離の大きさは前記交互作用の強弱を決定する、
ことを特徴とする請求項１記載の電極構造。
【請求項３】
前記第１のエッジ電極及び前記第２のエッジ電極はいずれも前記交互作用の強弱を決定する第１の電極幅を有しており、及び／又は
複数の電極は第２の電極幅を有し、前記第１の電極幅は該第２の電極幅の１．５〜４倍である、
ことを特徴とする請求項１記載の電極構造。
【請求項４】
前記第１のエッジ電極と前記第２のエッジ電極との間の複数の電極は複数の電極対に分けられ、
前記各電極対は、対をなし且つ同一極性を有する２電極により構成され、その中隣り合う電極対は反対極性を有し、
前記複数の電極対のペア数が奇数である場合、前記第１のエッジ電極及び前記第２のエッジ電極は同一極性を有しており、及び／又は
前記複数の電極対のペア数が偶数である場合、前記第１のエッジ電極及び前記第２のエッジ電極は反対極性を有する、
ことを特徴とする請求項１記載の電極構造。
【請求項５】
前記第１のエッジ電極と前記第２のエッジ電極との間の前記複数の電極は各別の単一電極により構成され、且つ隣り合う電極は反対極性を有する、
ことを特徴とする請求項１記載の電極構造。
【請求項６】
少なくとも請求項１の電極構造を備えることを特徴とする冷陰極平面蛍光灯。
【請求項７】
前記交互作用は気体放電作用であることを特徴とする請求項６記載の冷陰極平面蛍光灯。
【請求項８】
複数個の請求項６記載の冷陰極平面蛍光灯を組合せてなることを特徴とする大サイズ冷陰極平面蛍光灯。
【発明の詳細な説明】
【技術分野】
【０００１】
本発明は電極構造に関し、特に、液晶表示器のバック・ライトの平面蛍光灯に応用される電極構造に関する。この電極構造はバック・ライトに限らず、平面蛍光灯光源を応用するもの、例えば広告照明、指示及び緊急照明等はいずれも本発明が属する応用分野に属する。
【背景技術】
【０００２】
近年、液晶表示器（ＬＣＤ）の製造技術が日増しに成熟し、同時に全世界の各メーカが積極的に研究開発に投入して大型化の生産設備を採用したので、液晶表示器の品質が不断に増進され、その中もっとも期待及び注目されたのは液晶テレビジョンであった。そして、デジタル・テレビジョンの普及と共に措置が次第に推進され、ついに液晶テレビジョンはネクスト・ウェーブのテレビジョン新陳代謝の主体となった。
【０００３】
伝統上液晶表示器は自己発光できない表示系統であるので、光線の来源としてバック・ライトを採用しなければならない。伝統のバック・ライト構造は多本の独立した冷陰極細ランプ・パイプを組合せてなったバック・ライト・モジュールである他、比較的進歩した技術は平面ランプを液晶表示器のバック・ライト構造としたことである。
【０００４】
図１は冷陰極平面蛍光灯の発光見取図である。この図において、冷陰極平面蛍光灯１０は上ガラス板１１と、下ガラス板１２と、金属電極１３，１４と、ランプ・パイプ内の不活性ガス（図示せず）とにより構成され、金属電極１３，１４は灯体外部にセットして外部電極冷陰極平面蛍光灯に形成することもできる。
【０００５】
冷陰極平面蛍光灯１０の発光原理は電圧を金属電極１３，１４に印加してそれを発射又は電子を吸引させ、これにより電子がランプ・パイプ内の不活性ガスの分子を激突して気体分子を激発させることによりプラズマを形成させ、気体分子が基態に回復した時に紫外線が発生し、この紫外線がランプ・パイプ管壁内の蛍光粉末を激発して可視光を発出する。
【０００６】
このように冷陰極平面蛍光灯の発光原理から、金属電極１３，１４の設計方式は冷陰極平面蛍光灯１０の発光に対して極めて大きな影響を生ずることを知る。
図２（ａ）は先行技術における冷陰極平面蛍光灯の第１種の電極構造のトップ・ビューである。図において、金属電極１３は極性が反対の電極であり、その中金属電極１３は灯面中央部分に電極１３１，１３２を有し、そして金属電極１４は灯面中央部分において同様に電極１４１，１４２を有する。このように隣り合う電極１３２及び１４１は相互に極性が相異しているので気体放電現象を生ずる。この他に、前記の電極対と異なるものとして、灯面の両端において、その外側には反対極性の電極が存在していないので、エッジ電極１３３及び１３４の存在しか必要としない状態が図示されており、両者はいずれも金属電極１３に係属している。当然として図２（ｂ）に示されるように両端におけるエッジ電極１３３，１３４を不同の極性を有するものとすることもでき、そしてエッジ電極１３３が金属電極１３に係属し、エッジ電極１３４が金属電極１４に係属しているように、そのエッジ電極の配置は実際の設計方式に応じて決められる。
【０００７】
図２（ｃ）及び（ｄ）はそれぞれ先行技術における冷陰極平面蛍光灯の第３、第４種電極構造のトップ・ビューである。図２（ｃ）において図２（ａ）と異なるところは、当該エッジ電極１３３とエッジ電極１３４との間の中央電極区はもはや同一極性の電極対を有しない点にあり、つまり、気体放電を進行すると、電極１４１とエッジ電極１３３及び電極１３１とが作用を生じ、そして電極１３１は電極１４１，１４２と作用を生じる（図２（ａ）と同一なところは左右いずれも放電作用の発生を有する）。同様に図２（ｄ）と図２（ｂ）とは同一な相違点を有する。
【０００８】
しかしながら、これら４種の電極の設計方式は実際上の放電においてエッジが一辺のみ放電を生ずるので灯面両端の光量及び輝度の不足を来している。図３は点灯の７インチ平面蛍光灯を例に取った点灯輝度分布図である。図３から分るように、中央輝度が４０１０ｎｉｔｓの場合、エッジ輝度は３２３０ｎｉｔｓしかなく、この現象はいわゆる平面蛍光灯が常に発生するエッジ暗区である。特に、このエッジ暗区現象は平面蛍光灯をバック・ライト・モジュールに組成した後製品が顧客の規格に合わない要因となっている。
【０００９】
最も外側の両側の放電区輝度が比較的劣るので、合理的な推測は該区の電界及び電流密度が中央よりも比較的弱いことに帰する。図２（ａ）の電極構造を例（他の３図も同様）に取れば、単一電極１３１及び１４１のわきにはそれぞれ同一極性の電極１３２及び１４２が存在しており、且つ各電極（対）の左右両側にはいずれも放電作用が発生し、最も外側の両側のエッジ電極１３３，１３４のみが単一電極を呈すると共に単辺放電を呈する。気体放電現象は極性が反対の電極のみに関係し、隣接した同一極性電極と直接関連しないが、平面蛍光灯運用原理を熟知せる技術者であればいずれも、近隣の同極性電極の存在は必ずその電界及び電流密度分布に対して一定程度の影響を及ぼすことを知っており、エッジ電極１３３，１３４は近隣の同極性電極が欠けている外、単辺放電を呈するので、電界強度及び電流密度が中央区域と幾らか違い、前記のいわゆるエッジ暗区の発生を生ずる。
【００１０】
このエッジ暗区の問題については、従来研究開発人員が曽って電極全体の設計を改修してその位置をより灯体エッジに接近させることにより、放電距離を増加して輝度を向上するように図ったが、両側発光区の輝度が本質的に中間よりも低いために、エッジ暗区について言えば電極位置の変改はさほど大きな改善に寄与していない。この原因はエッジ暗区が両側放電区の電界分布及び電流密度において中央と異なるためと思われるので、両側のエッジ電極の設計方式の改修が行われ、改善が期待されている。
【００１１】
本発明者は上記従来の技術の欠点に鑑み、鋭意試験と研究とを重ねた結果、ついに本発明に係る「電極構造」を案出した。
【発明の開示】
【発明が解決しようとする課題】
【００１２】
本発明の主たる目的は冷陰極平面蛍光灯の発光効率を向上すると共に、その灯面の電極がもたらしたエッジ暗区現象を改善することにある。
本発明の次の目的は従来の冷陰極平面蛍光灯において両側のエッジ電極が単辺放電しか発生しないために、電界と電流密度分布とが中央区域のといささか違い、灯面エッジにおいて光線輝度が灯面中央に比べて不足する現象を生ずる欠点を解決することにある。
【課題を解決するための手段】
【００１３】
本発明の主たるアイディアは冷陰極平面蛍光灯において両側のエッジ電極の外側にそれぞれ補助電極が設置され、この補助電極は極性が対をなすエッジ電極と同一である外、平面蛍光灯電極の気体放電作用に参与しないが、エッジ電極が有する電界及び電流密度を増強できるので、これによりエッジ電極の気体放電作用により発生する光線輝度を増加させて灯面両側のエッジ暗区現象を補償し、灯面エッジが有する電界強度と電流密度、及び光線輝度が灯面中央のとおよそ同一となるようにする。
【００１４】
本発明の次のアイディアはエッジ電極の幅を現有電極幅の１．５倍〜４倍に増加することにより、エッジ電極上の電流密度を増加させ、冷陰極平面蛍光灯のエッジ輝度を中央区域のとおよそ同一であるように向上する。
本発明の更に次のアイディアは、冷陰極平面蛍光灯において両側のエッジ電極の外側にそれぞれ補助電極を設置すると同時に、適正に該補助電極の幅を調整し、該補助電極とエッジ電極との間の距離を変改することにより、不同の灯面エッジにおいて異なる光線輝度を得る。これは、該補助電極とエッジ電極との間の距離が形成されたエッジ輝度と反比例をなすためにある。つまり、補助電極とエッジ電極との間の距離が比較的遠く離れている場合、該補助電極がエッジ電極に対して気体放電を進行した時に発生する影響が比較的弱いのでエッジ輝度が比較的低くなる。反対に、該補助電極とエッジ電極との間の距離が比較的近く離れている場合、該補助電極がエッジ電極に対して気体放電を進行した時に発生する影響が比較的強いのでエッジ輝度が比較的高くなる。また、エッジ電極の幅を調整することにより電極上の電流密度幅を１．５倍に変改すると電流密度の増加が比較的小さいので、輝度の向上が比較的少く、これに対して幅が４倍である場合、その輝度及び電流密度が大幅に増加する。
【００１５】
本発明の更に次のアイディアは、複数個の冷陰極平面蛍光灯を組合せて大きなサイズの一平面蛍光灯を得る他、更に前記補助電極を設置、及び該補助電極の幅を調整して該補助電極とエッジ電極との間の距離を変改、又は電極幅の増加量を変改することにより、不同平面蛍光灯間のエッジ接面輝度を制御して高均一輝度の大サイズ平面蛍光灯を取得する。
【００１６】
上記本発明のアイディアにより提供される電極構造は、第１の補助電極及び第２の補助電極と、該第１の補助電極と該第２の補助電極との間に位置し、そしてそれぞれ該第１の補助電極及び該第２の補助電極と対をなして同一極性を有する第１のエッジ電極及び第２のエッジ電極と、該第１のエッジ電極及び該第２のエッジ電極の間に位置する少なくとも一電極とを備えてなることを特徴とする電極構造であって、当該電極構造は該第１の補助電極及び該第２の補助電極により、それぞれ第１のエッジ電極及び該第２のエッジ電極と、隣り合う電極との間の交互作用を強化する。
【００１７】
上記アイディアによれば、該第１の補助電極と該第１のエッジ電極との間には調整可能な第１の距離を有し、そして該第２の補助電極と該第２のエッジ電極との間には調整可能な第２の距離を有する。
また、上記アイディアによれば、該第１の距離及び第２の距離の大きさは該交互作用の強弱を決定する。
【００１８】
また、上記アイディアによれば、該第１のエッジ電極及び該第２のエッジ電極はいずれも該交互作用の強弱を決定する第１の電極幅を有する。
また、上記アイディアによれば、複数電極は第２の電極幅を有し、該第１の電極幅は該第２の電極幅の１．５〜４倍である。
【００１９】
また、上記アイディアによれば、該第１のエッジ電極と該第２のエッジ電極との間の該複数の電極は複数の電極対に分けられる。
また、上記アイディアによれば、該各電極対は、対をなし且つ同一極性を有する２電極により構成され、その中隣り合う電極対は反対極性を有する。
【００２０】
また、上記アイディアによれば、該複数の電極対のペア数が奇数である場合、該第１のエッジ電極及び該第２のエッジ電極は同一極性を有する。
また、上記アイディアによれば、該複数の電極対のペア数が偶数である場合、該第１のエッジ電極及び該第２のエッジ電極は反対極性を有する。
【００２１】
また、上記アイディアによれば、該第１のエッジ電極と該第２のエッジ電極との間の該複数の電極は各別の単一電極により構成され、且つ隣り合う電極は反対極性を有する。
また、上記のアイディアに基づき、少なくとも上記の電極構造を備えてなる冷陰極平面蛍光灯を提出する。
【００２２】
また、上記のアイディアによれば、該交互作用は気体放電作用である。
また、上記アイディアに基づき、複数個の上記冷陰極平面蛍光灯を組合せてなる大サイズ冷陰極平面蛍光灯を提出する。
以下、添付図を参照しながら本発明の実施の形態を説明する。
【発明を実施するための最良の形態】
【００２３】
図４は本発明に係る電極構造の補助電極の一実施例のトップ・ビューである。この図に示すように、電極構造４０は第１の補助電極４１１、第２の補助電極４１２、第１のエッジ電極４２１、第２のエッジ電極４２２、及び複数の電極対４３（又は４４）により構成されてなる。その中、第１のエッジ電極４２１は第１の補助電極４１１と対をなして同一極性を有すると共に第２のエッジ電極４２２は第２の補助電極４１２と対をなして同一極性を有する。また、電極対４３（又は４４）は第１のエッジ電極４２１と第２のエッジ電極４２２との間に位置しており、そして各電極対は対をなし且つ同一極性を有する２電極により構成されてなると共に、隣り合う電極対は反対極性を有する。例えば、図中の電極対４３は同一極性を有する電極４３１及び４３２より構成され、そして電極対４４は同一極性を有する電極４４２により構成されるが、電極対４３と電極対４４との極性は正反対である。
【００２４】
本発明の主要技術特徴は第１のエッジ電極４２１及び第２のエッジ電極４２２の設計にあり、上記に述べたように平面蛍光灯のエッジ暗区の成因はエッジ電極４２１，４２２が傍に対をなす同一極性の電極を有していないために、エッジ電極の電界及び電流密度が比較的弱くなったことによる。本発明はこれに対応して、第１のエッジ電極４２１及び第２のエッジ電極４２２の外側にそれぞれそれと対をなす補助電極４１１及び４１２を設置した。第１のエッジ電極４２１と第２のエッジ電極４２２の極性はそれぞれ第１の補助電極４１１と第２の補助電極４１２の極性と同一であるが、注意すべきところは、補助電極はそれと対をなすエッジ電極の気体放電作用に参与していず、補助電極は僅に単純にそれと隣り合うエッジ電極の電界及びその上の電流密度を強化するのみに過ぎない。
【００２５】
図示する第１の補助電極４１１は第１のエッジ電極４２１と電極４４１との間の気体放電に参与していず、僅に単純に第１のエッジ電極４２１と同一の極性を有するのみに過ぎないが、これにより第１のエッジ電極４２１が発生する電界及び電流密度を強化して第１のエッジ電極４２１と電極４４１との間の気体放電が発生する光の輝度を増大させ、同時にパネル中央各電極対との間の気体放電が発生する光輝度と大きな差が出現しないようにすることができる。同様な作用原理は他の実施例の補助電極４１２及び第２のエッジ電極４２２のところにも応用できる。
【００２６】
もし図４に示す電極構造を冷陰極平面蛍光灯の電極設計に応用すれば、徹底的に伝統技術により発生するエッジ暗区の現象を改善することができる。
この他に、本発明の他の技術特徴は、補助電極４１１，４１２自体の幅を変改、又は補助電極４１１，４１２とエッジ電極４２１，４２２との間の距離を調整することにより、エッジ電極４２１，４２２の電界強度及び電流密度を制御して、冷陰極平面蛍光灯のエッジ区域の光輝度を変調する目的を達成できることにある。
【００２７】
同様に図４において、第１の補助電極４１１と第１のエッジ電極４２１との間に第１の距離があり、同じく第２の補助電極４１２と第２のエッジ電極４２２との間には第２の距離がある。そして該第１の距離が光輝度と反比例をなすので、該第１の距離（第１の補助電極４１１は比較的小さい幅を有する）を増加すると、第１のエッジ電極４２１の電界及び電流密度を弱くすると共に、このエッジ区域の輝度を降下し、反対に、該第１の距離（第１の補助電極４１１は比較的大きな幅を有する）を減少すると、第１のエッジ電極４２１の電界及び電流密度を強化すると共に、このエッジ区域の輝度を増加する。同様な作用原理は他側の第２の補助電極４１２及び第２のエッジ電極４２２のところにも応用できる。
【００２８】
次に、図６を参照しながらエッジ電極の幅を広げる方式を説明する。単独にエッジ電極６２１及び６２２の幅を電極６４１の１．５〜４倍に増加すれば、補助電極を増加しなくても、冷陰極平面蛍光灯のエッジ放電区域の電流密度を増加でき、同様にエッジ輝度の向上の目的を達することができる。当然、この方法は前記補助電極を増加する方法と合併して実施することもできる。
【００２９】
以上、これらエッジ区域の光輝度を変調する技術の更なる利点は、複数の前記電極構造を有する冷陰極平面蛍光灯を組合せて大サイズの冷陰極平面蛍光灯を形成する場合、各平面蛍光灯のエッジ区域の光輝度を調整することで、各エッジ接面の輝度を制御でき、真に輝度均一の大サイズ平面蛍光灯を得られることにある。
【００３０】
ここで一歩進んで説明すれば、図４および図６において電極対４３，４４，６４等のペア数が奇数（図中には１３対を例に取っている）であるので、第１のエッジ電極４２１及び第２のエッジ電極４２２は同一極性を有するが、もし設計上必要の場合、電極対のペア数を偶数にすることもできる（図２（ｂ）参照）。この場合、２エッジ電極は反対極性を有するが、全体の運用原理は完全に同一である。
【００３１】
同様に、本発明の電極製作技術は図２（ｃ）及び（ｄ）の電極構造にも応用できる。図５は図２（ｃ）を改善した後の電極構造図である。この場合、第１のエッジ電極５２１は第１の補助電極５１１と対をなし且つ同一極性を有し、そして第２のエッジ電極５２２は第２の補助電極５１２と対をなし且つ同一極性を有する。この態様下で気体放電を進行すると、第１の補助電極５１１は第１のエッジ電極５２１の電界及び電流密度を増加すると共に、第１のエッジ電極５２１と電極５４１との間の気体放電作用を強化し、そして第２の補助電極５１２は第２のエッジ電極５２２の電界及び電流密度を増加すると共に、第２のエッジ電極５２２と電極５４２との間の気体放電作用を強化する。
【００３２】
エッジ電極を１．５倍以上に広げた構造は図２（ｃ）及び（ｄ）の電極構造にも応用できる。図７は図２（ｃ）を改善した後の電極構造図である。この場合、エッジ電極７２１，７２２を原電極幅の１．５倍以上に広げると、エッジ放電区域の電流密度をも増加でき、エッジ輝度を向上させることができる。
【００３３】
当然、図５及び図７の電極構造５０及び７０の技術は同様に該第２の補助電極を反対極性に製作する状況に適用され得、且つ、エッジ電極と補助電極との間の距離によりエッジ区域輝度を変調することができる。
即ち、二つのエッジ電極間の中央電極について言えば、図４のような電極対、又は図５の様な単一電極であるかを問わず、いずれも本発明の技術をそれに適用することができる。したがって、本出願の請求項では「エッジ電極の間に少なくとも一電極を有する」との上位概念で定義する。つまり、単一のエッジ電極の場所において電界強化用の補助電極を設置、又はエッジ電極幅を増加するとの技術的手段であれば、いずれも本発明の技術的範囲に属する。
【００３４】
ここで注意すべきは、図２、図４、図５、図６又は図７のいずれを問わず、各単一電極の本体はいずれも各種形状、例えば円形、三角形又は弧状等の形状を有する突縁又は凹部に製作することができ、本発明により提出される電極構造の正規運用に影響しない。
【００３５】
最後に、この種の補助電極を添加した後の電極構造が電界に対して発生する影響を裏付けるために、発明者は電界模擬系統を利用して評価した。図８（ａ）及び（ｂ）はそれぞれ補助電極を添加していない電界模擬図及び既に補助電極を添加した電界模擬図である。図８（ｃ）は比較図であり、この図から補助電極を添加した電極構造の電界強度はより均一且つ完整を示していることが分る。これも上記［背景技術］の説明を裏付けている。
【００３６】
補助電極の増加により両側の放電区の輝度を向上した後、更に平面蛍光灯に拡散板及び拡散片（diffuser）を付加してバック・ライト・モジュールのエッジ暗区が改善されたか否かを観察した。その結果、図９、図１０に示すように、これら図の比較から、補助電極を増加した後、発光区は明らかに左右両側に向って拡大する現象が現われ、エッジ暗区の問題も良好な改善を得たことが裏付けられた。前記図９（ａ）及び（ｂ）は補助電極を設置していない場合の点灯状態図及び輝度分布図であり、そして図１０（ａ）及び（ｂ）は補助電極を設置した場合の点灯状態図及び輝度分布図である。
【００３７】
要するに、本発明の電極構造は、平面蛍光灯の両側のエッジ電極外側に更にそれぞれ同一極性の補助電極を設置、又はエッジ電極幅を原電極幅の１．５〜４倍に増加して、それと対をなすエッジ電極が気体放電を進行した場合の電界及び電流密度を強化することにより、平面蛍光灯のエッジ区域の光輝度を向上することができる。この外、適当に補助電極とエッジ電極との間の距離を調整、又はエッジ電極幅を変改することにより、エッジ区域の光輝度を自由に調整して、顧客の異なる需要に応じて製品を製作することができる。更には、この種の電極構造を有する平面蛍光灯を組合せることにより、輝度が均一な大サイズ平面蛍光灯を得ることができる。
【００３８】
上記実施の形態は本発明の技術的手段をより具体的に説明するためにあり、本発明の技術的思想は決してこれに限定されず、クレームの範囲を逸脱しない限り、当業者による単純な設計変更、付加、置換、修飾等はいずれも本発明の技術的範囲に属する。
【図面の簡単な説明】
【００３９】
【図１】冷陰極平面蛍光灯の発光見取図である。
【図２（ａ）】従来の技術における冷陰極平面蛍光灯第1種の電極構造のトップ・ビューである。
【図２（ｂ）】従来の技術における冷陰極平面蛍光灯第２種の電極構造のトップ・ビューである。
【図２（ｃ）】従来の技術における冷陰極平面蛍光灯第３種の電極構造のトップ・ビューである。
【図２（ｄ）】従来の技術における冷陰極平面蛍光灯第４種の電極構造のトップ・ビューである。
【図３】伝統の７インチ平面蛍光灯の輝度分布図である。
【図４】本発明の電極構造における補助電極の一実施例のトップ・ビューである（中央の同極性電極は対をなしている）。
【図５】本発明の電極構造における他の実施例のトップ・ビューである。
【図６】本発明の電極構造におけるエッジ電極の幅を広げた一実施例のトップ・ビューである（中央の同極性電極は対をなしている）。
【図７】本発明の電極構造におけるエッジ電極の幅を広げた他の実施例のトップ・ビューである。
【図８】（ａ）は補助電極を添加していない電極構造の電界模擬図である。（ｂ）は補助電極を添加した電極構造の電界模擬図である。（ｃ）はそれぞれ図２（ａ）及び図４の電極構造を採用した電界模擬比較図である。
【図９（ａ）】伝統の７インチ平面蛍光灯の点灯状態図である（拡散板及び拡散片を付加）。
【図９（ｂ）】伝統の７インチ平面蛍光灯の輝度分布図である（拡散板及び拡散片を付加）。
【図１０（ａ）】本発明の電極構造における補助電極の７インチ平面蛍光灯の点灯状態図である（拡散板及び拡散片を付加）。
【図１０（ｂ）】本発明の電極構造における補助電極の７インチ平面蛍光灯の輝度分布図である（拡散板及び拡散片を付加）。
【符号の説明】
【００４０】
１０・・・冷陰極平面蛍光灯  １１・・・上ガラス板  １２・・・下ガラス板  １３，１４・・・金属電極  １３１，１３２，１４１，１４２，４３，４４・・・電極対  １３３，１３４，４２１，４２２，５２１，５２２，６２１，６２２，７２１，７２２・・・エッジ電極  ４０，５０，６０，７０・・・電極構造  ４１１，５１１・・・第１の補助電極  ４１２，５１２・・・第２の補助電極  ４２１，５２１，６２１，７２１・・・第１のエッジ電極  ４２２，５２２，６２２，７２２・・・第２のエッジ電極  ４３，４４，６４・・・電極対  ４３１，４３２，４４１，４４２，５４１，５４２，６４１，６４２・・・電極対
【図１】
2006286641.tif 000003
【図２（ａ）】
2006286641.tif 000004
【図２（ｂ）】
2006286641.tif 000005
【図２（ｃ）】
2006286641.tif 000006
【図２（ｄ）】
2006286641.tif 000007
【図３】
2006286641.tif 000008
【図４】
2006286641.tif 000009
【図５】
2006286641.tif 000010
【図６】
2006286641.tif 000011
【図７】
2006286641.tif 000012
【図８】
2006286641.tif 000013
【図９（ａ）】
2006286641.tif 000014
【図９（ｂ）】
2006286641.tif 000015
【図１０（ａ）】
2006286641.tif 000016
【図１０（ｂ）】
2006286641.tif 000017